(57)【特許請求の範囲】
【請求項１】
個人を特定する文字情報を備える入場引換券、及び、個人を特定する文字情報と顔画像情報とを備える個人証明書を読み取るスキャナー部と、
前記入場引換券及び前記個人証明書を前記スキャナー部で読み取らせた操作者を撮影するカメラ部と、
前記スキャナー部で読み取った前記入場引換券の文字情報と前記個人証明書の文字情報とが一致するか否か、及び、前記スキャナー部で読み取った前記個人証明書の顔画像情報と前記カメラ部で撮影した顔画像情報とが一致するか否かを判定する判定部と、
前記判定の結果の判定結果情報を備える入場券を発券する発券部と、を有する、ことを特徴とする入場券の発券装置。
【請求項２】
前記判定部は、前記スキャナー部で同時に読み取った前記入場引換券の文字情報と前記個人証明書の文字情報とが一致するか否かを判定する、ことを特徴とする請求項１に記載の入場券の発券装置。
【請求項３】
前記スキャナー部に前記読み取りを開始させる操作信号を出力する操作部を有し、
前記カメラ部は、前記操作部に設けられている、ことを特徴とする請求項１または２に記載の入場券の発券装置。
【請求項４】
前記スキャナー部に前記読み取りを開始させる操作信号を出力する操作部を有し、
前記カメラ部は、前記操作信号が出力されたときに、前記撮影を行う、ことを特徴とする請求項１〜３のいずれか一項に記載の入場券の発券装置。
【請求項５】
画像データに基づいて用紙に画像を形成する画像形成部と、原稿を読み取るスキャナー部と、を有する画像形成装置であって、
請求項１〜４に記載の入場券の発券装置として機能する動作モードを有する、ことを特徴とする画像形成装置。
【発明の詳細な説明】
【技術分野】
【０００１】
本発明は、入場券の発券装置及び画像形成装置に関するものである。
【背景技術】
【０００２】
抽選で参加できるイベント等に応募した場合、抽選で当選すると入場引換券が送られてきて、それと運転免許書等の個人証明書を持って、当日に現地で本人確認を行った後に、入場引換券と入場券を交換してもらうことがある。これは、抽選の当選者以外の人のイベント参加の防止や、他人への転売等を防止する目的を持ってなされている。
この個人認証に関連する技術として、例えば、特許文献１には、バイオメトリクス情報を含む個人情報に基づいて特定の個人を認証する認証システムが開示されている。
【先行技術文献】
【特許文献】
【０００３】
【特許文献１】特許第３９４６２４３号公報
【発明の概要】
【発明が解決しようとする課題】
【０００４】
ところで、抽選で参加できるイベント等において、入場引換券を用いて入場券を発行する場合、従来では、人が個人証明書を確認して個人認証を行っていたため、入場券の発行に時間がかかっていた。上記先行技術は、バイオメトリクス情報を用いるために、事前登録や、生体認証用の専用装置が必要になり、導入に際し手間と費用がかかる、という問題がある。
【０００５】
本発明は、上記問題点に鑑みてなされたものであり、導入が容易で、時間をかけずに個人認証と入場券の発券を行うことができる入場券の発券装置及び画像形成装置を提供することを目的とする。
【課題を解決するための手段】
【０００６】
上記の課題を解決するために、本発明は、個人を特定する文字情報を備える入場引換券、及び、個人を特定する文字情報と顔画像情報とを備える個人証明書を読み取るスキャナー部と、前記入場引換券及び前記個人証明書を前記スキャナー部で読み取らせた操作者を撮影するカメラ部と、前記スキャナー部で読み取った前記入場引換券の文字情報と前記個人証明書の文字情報とが一致するか否か、及び、前記スキャナー部で読み取った前記個人証明書の顔画像情報と前記カメラ部で撮影した顔画像情報とが一致するか否かを判定する判定部と、前記判定の結果の判定結果情報を備える入場券を発券する発券部と、を有する、入場券の発券装置を採用する。
【０００７】
また、本発明では、前記判定部は、前記スキャナー部で同時に読み取った前記入場引換券の文字情報と前記個人証明書の文字情報とが一致するか否かを判定する、という構成を採用する。
【０００８】
また、本発明では、前記スキャナー部に前記読み取りを開始させる操作信号を出力する操作部を有し、前記カメラ部は、前記操作部に設けられている、という構成を採用する。
【０００９】
また、本発明では、前記スキャナー部に前記読み取りを開始させる操作信号を出力する操作部を有し、前記カメラ部は、前記操作信号が出力されたときに、前記撮影を行う、という構成を採用する。
【００１０】
また、本発明では、画像データに基づいて用紙に画像を形成する画像形成部と、原稿を読み取るスキャナー部と、を有する画像形成装置であって、先に記載の入場券の発券装置として機能する動作モードを有する、画像形成装置を採用する。
【００１１】
また、本発明では、先に記載の入場券を用いて個人認証をする、個人認証方法を採用する。
【発明の効果】
【００１２】
本発明によれば、入場引換券と個人証明書とをスキャナー部で読み取り、文字情報の一致／不一致を判定し、また、スキャナー部の操作者をカメラ部で撮影することで、顔画像情報の一致／不一致を判定することができる。そして、この判定結果情報を備える入場券を発券することで、この入場券から情報を取り出して、その正当性を判断できる。
したがって、本発明によれば、生体認証用の専用装置よりも導入が容易で、人手による確認よりも時間をかけずに個人認証と入場券の発券を行うことができる。
【図面の簡単な説明】
【００１３】
【図１】本発明の実施形態における複合機の要部構成を示す正面透視図である。
【図２】本発明の実施形態における複合機の機能ブロック図である。
【図３】本発明の実施形態における個人認証・発券機能の動作モードの複合機を用いて入場券を発券し、個人認証をする個人認証方法のフローチャートである。
【図４】本発明の実施形態における個人認証・発券機能の動作モードの複合機を用いて入場券を発券し、個人認証をする個人認証方法のフローチャートである。
【図５】本発明の実施形態における個人認証・発券機能の動作モードの複合機を操作するときの概念図である。
【発明を実施するための形態】
【００１４】
以下、図面を参照しながら、本発明の一実施形態について説明する。なお、以下では、本発明の入場券の発券装置として機能する動作モードを備える画像形成装置（複合機）を例示する。
【００１５】
図１は、本発明の実施形態における複合機１の要部構成を示す正面透視図である。図２は、本発明の実施形態における複合機１の機能ブロック図である。
複合機１は、コピー、プリンター及びファクシミリ等の機能を併せ持つ画像形成装置であり、ＭＦＰ(Multi-Function Peripherals)と称されるものである。この複合機１は、画像形成部１０（発券部）と、スキャナー部２０と、操作部３０と、通信部４０と、制御部５０（判定部）と、を備えている。
【００１６】
画像形成部１０は、制御部５０による制御の下、所定の用紙に画像を形成して印刷物として出力するものであり、給紙部１１、トナー画像形成部１２、定着部１３及び排紙トレイ１４等を備えている。給紙部１１は、用紙を複数枚（例えば、数百枚程度）収容可能であると共に、複合機１の正面から引出し可能な給紙カセット１１ａを複数備えている。給紙カセット１１ａの各々に収容された用紙のうちの最上位の用紙は、ピックアップローラー１１ｂの駆動によって繰り出されてトナー画像形成部１２へ搬送される。
【００１７】
トナー画像形成部１２は、印刷すべき画像に応じたトナー画像を用紙に形成するものであり、感光体ドラム１２ａ、露光部１２ｂ、現像部１２ｃ、転写部１２ｄ、帯電部１２ｅ等を備えている。感光体ドラム１２ａは、印刷すべき画像に応じた静電潜像が形成されると共に、現像されたトナー画像を担持する円筒形の感光体である。露光部１２ｂは、感光体ドラム１２ａの表面に静電潜像を形成するためのレーザー光を感光体ドラム１２ａに照射する。
【００１８】
現像部１２ｃは、静電潜像が形成された感光体ドラム１２ａにトナーを供給することにより、静電潜像を現像してトナー画像にする。転写部１２ｄは、感光体ドラム１２ａに担持されているトナー画像を、給紙部１１から搬送されてきた用紙に転写する。帯電部１２ｅは、帯電ローラー等の接触帯電部材への電圧印加により、転写後の感光体ドラム１２ａの周面を再び帯電状態とさせ、露光部１２ｂによる次の静電潜像の形成に備えさせる。
【００１９】
定着部１３は、トナー画像形成部１２によって用紙に転写（形成）されたトナー画像を加熱及び加圧して用紙に定着させた後、当該定着処理後の用紙を所望の画像が印刷された印刷物として排紙トレイ１４へ排出（出力）する。排紙トレイ１４は、定着部１３から出力される印刷物を溜め置きするための部位であり、画像形成部１０の上部に設けられている。
【００２０】
スキャナー部２０は、制御部５０による制御の下、操作者にセットされた原稿を読み取り、その原稿の画像を示す原稿画像データを生成して制御部５０に出力するものであり、ＡＤＦ（自動原稿送り装置）２１、キャリッジ２２、原稿台２３及び原稿読取スリット２４等を備えている。ＡＤＦ２１は、読み取りを行うべき原稿を順次自動給紙する装置である。キャリッジ２２は、露光ランプ及びＣＣＤ（Charge Coupled Device）センサー等を搭載しており、ＡＤＦ２１によって順次給紙される原稿、或いは原稿台２３にセットされた原稿を読み取る。
【００２１】
具体的に、原稿台２３にセットされた原稿を読み取る場合には、キャリッジ２２は、原稿台２３の長手方向に移動しながらＣＣＤセンサーにより原稿を読み取る。これに対し、ＡＤＦ２１から給紙される原稿を読み取る場合には、キャリッジ２２は、原稿読取スリット２４に対向する位置（原稿読取スリット２４の下方の位置）において、ＡＤＦ２１から順次給紙される原稿を、原稿読取スリット２４を介してＣＣＤセンサーにより読み取る。
【００２２】
操作部３０は、操作者による操作に応じた信号（操作信号）を制御部５０に出力すると共に、制御部５０による制御に応じて複合機１の状態を示す情報等の各種情報を表示するものであり、操作キー３１、操作表示部３２及びカメラ部３３を備えている。
操作キー３１は、コピースタートキー、コピーストップ／クリアキー、テンキー（数値入力キー）及び機能切替キー等のハードキーである。なお、機能切替キーとは、複合機１で実現されるコピー機能、プリント機能、スキャン機能、ファクシミリ機能及び個人認証・発券機能の各々を操作者が使用する場合に、各機能の動作モードへ複合機１を切り替える為のキーである。
【００２３】
操作表示部３２は、制御部５０による制御の下、所定の画像を表示する液晶パネル或いは有機ＥＬパネル等と、この表示部の表示画面上で為された操作に応じた操作信号を制御部５０に出力するタッチパネルとを備えており、上記操作信号として操作者に押下された部位の座標を示す信号を出力する。
【００２４】
カメラ部３３は、複合機１の正面に設けられ、例えばＣＣＤ（Charge-Coupled Devices）方式またはＣＭＯＳ（Complementary Metal-Oxide Semiconductor）方式の撮像素子とレンズを備えたデジタルカメラによって構成され、制御部５０による制御の下、操作者を撮影する。このようなカメラ部３３は、図１に示すように、操作部３０に設けられており、操作キー３１や操作表示部３２と共に操作パネル前面に配設されている。
【００２５】
通信部４０は、外部機器と通信を行うものであり、ファクシミリ通信部４１及びネットワークＩ／Ｆ部４２を備える。ファクシミリ通信部４１は、公衆電話回線に接続されて相手先ファクシミリとの間で通信を行う。ネットワークＩ／Ｆ部４２は、通信回線２に接続されて、同じく通信回線２に接続された個人認証用のデータベースを管理するサーバー３や他の端末装置であるパーソナルコンピュータ４，５、複合機１と同タイプの他の複合機６等の外部機器との間で通信を行う。なお、通信回線２は、グローバルネットワークであってもローカルネットワークであってもよい。
【００２６】
制御部５０は、操作部３０から入力された操作信号、及び通信部４０を介して外部機器から受信した信号に基づいて、複合機１の全体動作を統括制御する。この制御部５０は、ＣＰＵ（Central Processing Unit）、ＲＯＭ（Read Only Memory）、ＲＡＭ（Random Access Memory）並びに上記各構成機器と信号の入出力を行うインタフェース回路などから構成されている。制御部５０は、操作キー３１の押下によって、個人認証・発券機能の動作モードに切り替えられたとき、上記各構成機器を次のように動作させる。
【００２７】
図３及び図４は、本発明の実施形態における個人認証・発券機能の動作モードの複合機１を用いて入場券を発券し、個人認証をする個人認証方法のフローチャートである。図５は、本発明の実施形態における個人認証・発券機能の動作モードの複合機１を操作するときの概念図である。以下では、複合機１が、抽選で参加できるイベント等の会場に設置された場合を想定した個人認証方法について説明する。
【００２８】
図３に示すように、先ず、イベント内容を公開しているホームページや広告等から、イベントの参加募集を行う（ステップＳ１）。ホームページから参加を応募する場合、参加希望者は、パーソナルコンピュータ４を操作し、ホームページの応募フォームから、個人を特定する文字情報（例えば、氏名、性別、生年月日、住所等）を入力し、その情報を送信する。また、広告を見て参加を応募する場合、参加希望者は、ハガキに個人を特定する文字情報を記入し、そのハガキを送付する。
【００２９】
イベントの運営者は、多数の応募の中から抽選を行い、当選者に入場引換券を送付し、また、当選者の応募時の個人を特定する文字情報をデータベースに登録する（ステップＳ２）。当選者の応募フォームに入力されていた文字情報は、サーバー３に送信し、個人認証用のデータベースに登録する。また、当選者のハガキに記入されていた文字情報は、運営者が、パーソナルコンピュータ５を操作し、同じくサーバー３のデータベースに登録する。
【００３０】
次に、当選者は、イベントの当日に、送付されてきた入場引換券と、顔写真付きの個人証明書（運転免許証等）を会場に持って行き、入場券交換場に設置された複合機１を操作し、入場引換券と個人証明書を同時にスキャンする（ステップＳ３）。図５において、入場引換券は符号Ａで示しており、個人証明書は符号Ｂで示している。図５に示すように、当選者（操作者）は、原稿台２３の上に入場引換券と個人証明書を載せ、操作部３０を操作することで、入場引換券と個人証明書を同時にスキャンする。
【００３１】
入場引換券は、個人を特定する文字情報（符号ａ１で示す）を備えている。この文字情報は、データベースに登録された当選者のデータ（応募時）を呼び出せるような情報が記号（電子透かしやＱＲコード（登録商標））として印字されたものである。また、個人証明書は、個人を特定する文字情報（符号ｂ１で示す）と顔画像情報（符号ｂ２で示す）を備えている。この文字情報は、個人証明書に掲載されている氏名、性別、生年月日、住所等の文字である。また、この顔画像情報は、個人証明書に掲載されている顔写真である。
【００３２】
また、この時、複合機１の操作者の顔をカメラ部３３で撮影し、その画像データをデータベースに登録する（ステップＳ４）。図５に示すように、カメラ部３３は、操作部３０に設けられているため、操作部３０に向いた操作者の顔を容易に撮影することができる。また、図５に示すように、操作部３０からスキャナー部２０に読み取りを開始させる操作信号が出力されたとき（操作キー３１が押下されたとき）に、カメラ部３３が撮影を行うように制御することで、操作部３０から操作者の手が離れる前に、操作部３０に向いた操作者の顔を撮影することができる。このカメラ部３３が取得した画像データは、通信部４０からサーバー３に送信され、入場引換券の記号と一致したデータベースに顔画像情報として登録される。
【００３３】
次に、制御部５０は、スキャナー部２０で同時に読み取った入場引換券の文字情報と個人証明書の文字情報とが一致するか否かを判定する（ステップＳ５）。具体的に、制御部５０は、入場引換券から読み出したデータベースに登録された文字情報と、個人証明書に掲載された氏名等をＯＣＲ（Optical Character Recognition）等の周知の技術で読み取った文字情報とが、一致するか否かを判定する。そして、制御部５０は、通信部４０を用いて、その判定の結果を入場引換券の記号と一致したデータベースに登録する。
【００３４】
次に、制御部５０は、スキャナー部２０で読み取った個人証明書の顔画像情報とカメラ部３３で撮影した顔画像情報とが一致するか否かを判定する（ステップＳ６、Ｓ７）。具体的に、制御部５０は、個人証明書に掲載された顔写真を顔認識等の周知の技術で切り出した顔画像情報と、カメラ部３３で撮影した顔画像情報とが、一致するか否かを判定する。顔画像の一致／不一致は、文字の一致／不一致よりも判定が難しいため、パターンマッチング等の周知の技術を用いてある閾値を定め、その閾値以上のもの一致と判定し、その閾値未満のものを不一致と判定する。
【００３５】
判定の結果、文字情報と顔画像情報が一致した場合には、ステップＳ８に移行し、両者が一致したという判定結果情報（文字情報：○、顔画像情報：○）を、入場引換券の記号と一致したデータベースに登録すると共に、その判定結果情報を備える入場券を発行する。入場券は、画像形成部１０によって印刷物として出力される。図５において、入場券は符号Ｃで示している。図５に示すように、入場券は、判定結果情報（符号ｃ１で示す）を備えている。この判定結果情報は、データベースに登録された判定結果を呼び出せるような情報が記号（電子透かしやＱＲコード（登録商標））として印字されたものである。
【００３６】
また、判定の結果、文字情報のみが一致した場合には、ステップＳ９に移行し、文字情報は一致し、顔画像情報が不一致したという判定結果情報（文字情報：○、顔画像情報：×）を、入場引換券の記号と一致したデータベースに登録すると共に、その判定結果情報を備える入場券を発行する。
【００３７】
また、判定の結果、文字情報と顔画像情報が不一致の場合には、ステップＳ１０に移行し、両者が不一致したという判定結果情報（文字情報：×、顔画像情報：×）を、入場引換券の記号と一致したデータベースに登録すると共に、その判定結果情報を備える入場券を発行する。
【００３８】
また、判定の結果、顔画像情報のみが一致した場合には、ステップＳ１１に移行し、文字情報は不一致したが、顔画像情報は一致したという判定結果情報（文字情報：×、顔画像情報：○）を、入場引換券の記号と一致したデータベースに登録すると共に、その判定結果情報を備える入場券を発行する。
【００３９】
このように、どのような判定結果でも、入場券を発券するが、入場券にもデータベースが特定できる記号（判定結果情報）が印字されているため、最終の入場ゲートで再度チェックを行うことができる。なお、顔画像情報で不一致となった場合は、装置側の誤認識の可能性もあるため、登録されたデータベースの顔画像情報を運営側の係員が確認し、個人証明書に掲載された顔写真と同一人物と判断できるかを確認する（ステップＳ１２）。そして、同一人物であると判断できれば、運営側の係員がパーソナルコンピュータ５を操作し、顔画像情報が不一致のデータベースを一致したと変更し（顔画像情報：×→○）、登録する（ステップＳ１３）。
【００４０】
図４に示すように、次に、当選者は、発券された入場券を持って入場ゲートに行き、入場券をスキャンして、文字情報、顔画像情報が一致しているか否かを判定してもらう（ステップＳ１４）。本実施形態では、入場ゲートに設置された複合機１と同タイプの他の複合機６によってスキャンを行う。複合機６の制御部５０は、入場券から読み出したデータベースに登録された判定結果情報から、文字情報、顔画像情報が一致しているか否かを判定する。また、この時、複合機６の操作者の顔を複合機６が備えるカメラ部３３で撮影する。
【００４１】
文字情報、顔画像情報が一致している場合、入場ゲートで入場券をスキャンした人物と、交換時（ステップＳ４）に撮影した写真の人物が同一人物かを確認する（ステップＳ１５）。この確認は、複合機６の制御部５０が、データベースにある顔画像情報と、撮影した顔画像情報とを使用し、上述したようにパターンマッチング等の周知の技術を用いて行う。
この結果、文字情報、顔画像情報が一致し、さらに、入場ゲートでスキャンした人と入場券交換場でスキャンした人が同一人物と判定できれば、本人確認が完了する。これにより、入場券が有効と判断され、その所持者はイベント会場に入場できるようになる（ステップＳ１６）。
【００４２】
他方、文字情報、顔画像情報のいずれか一方が不一致、あるいは、入場ゲートでスキャンした人と入場券交換場でスキャンした人が同一人物と判定できない場合、運営側の係員が、不一致している情報を確認し、本人確認ができるか否かを判断する（ステップＳ１７）。
この結果、本人確認できないときは、入場券が無効と判断され、その所持者はイベント会場に入場できない（ステップＳ１８）。また、この結果、本人確認ができたときは、本人確認が完了したので、入場券が有効と判断され、その所持者はイベント会場に入場できるようになる（ステップＳ１９）。
以上により、入場券を用いた個人認証が終了する。
【００４３】
このように、上述の本実施形態によれば、入場引換券と個人証明書とをスキャナー部２０で読み取り、文字情報の一致／不一致を判定し、また、スキャナー部２０の操作者をカメラ部３３で撮影することで、顔画像情報の一致／不一致を判定することができる。そして、この判定結果情報を備える入場券を発券することで、この入場券から情報を取り出して、その正当性を機械的且つ即時に判断できる。また、この入場券の発券装置として機能できる動作モードを複合機１に備えさせることによって、生体認証用の専用装置よりも、導入に際し手間と費用をかけないようにすることができる。
【００４４】
したがって、上述の本実施形態によれば、個人を特定する文字情報を備える入場引換券、及び、個人を特定する文字情報と顔画像情報とを備える個人証明書を読み取るスキャナー部２０と、入場引換券及び個人証明書をスキャナー部２０で読み取らせた操作者を撮影するカメラ部３３と、スキャナー部２０で読み取った入場引換券の文字情報と個人証明書の文字情報とが一致するか否か、及び、スキャナー部２０で読み取った個人証明書の顔画像情報とカメラ部３３で撮影した顔画像情報とが一致するか否かを判定する制御部５０と、判定の結果の判定結果情報を備える入場券を発券する画像形成部１０と、を有する、複合機１を採用することによって、生体認証用の専用装置よりも導入が容易で、人手による確認よりも時間をかけずに個人認証と入場券の発券を行うことができる。
【００４５】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４６】
例えば、上記実施形態では、サーバーのデータベースを用いて、文字情報、顔画像情報、判定結果情報を確認する構成について説明したが、データベースを用いずに、入場引換券や入場券から直接確認できるようにしても良い。例えば、個人を特定する文字情報を暗号化したコードを入場引換券に印字し、スキャナー部でそのコードを読み取ることにより文字情報を確認できるようにしても良い。判定結果情報についても同様である。
【００４７】
また、例えば、上記実施形態では、入場券の発券装置として機能する動作モードを備える複合機について説明したが、本発明はこの構成に限定されず、複合機を用いずに入場券の発券装置を構成しても良い。しかし、複合機によって構成すれば、もともと画像形成部及びスキャナー部等のハードウェアを備えているため、入場券の発券装置とすることは主にソフトウェアの変更・追加で済み、導入に費用をあまりかけないようにすることができる。
【００４８】
また、例えば、上記実施形態では、複合機を例示したが、本発明はこの構成に限定されるものではなく、例えば、スキャナー部を備えていれば、複写機、プリンター、ファクシミリ装置等の他の画像形成装置にも適用可能である。
【符号の説明】
【００４９】
１  複合機（入場券の発券装置、画像形成装置）
１０  画像形成部（発券部）
２０  スキャナー部
３０  操作部
３３  カメラ部
５０  制御部（判定部）
Ａ  入場引換券
ａ１  文字情報
Ｂ  個人証明書
ｂ１  文字情報
ｂ２  顔画像情報
Ｃ  入場券
ｃ１  判定結果情報
【図１】
0006037989.tif 000002
【図２】
0006037989.tif 000003
【図３】
0006037989.tif 000004
【図４】
0006037989.tif 000005
【図５】
0006037989.tif 000006